(57)【特許請求の範囲】
【請求項１】
裏面側の外周面に段差部が形成されているとともに、裏面側の内壁面に嵌合部が形成された腕時計ケースと、
前記腕時計ケースの裏面に外周部が前記段差部側に突出して配置されるとともに、前記嵌合部に嵌着する嵌着部が形成された裏蓋と、
前記腕時計ケースの段差部に配置されて前記裏蓋の外周部によって押し付けられる鍔部が形成されているとともに、前記鍔部から前記裏蓋の外周部の裏面より延出する延出部が形成された弾性材料からなる緩衝部材と、
を備えたことを特徴とする腕時計。
【請求項２】
前記腕時計ケースの嵌合部は雌ねじ部であり、前記裏蓋の嵌着部は前記雌ねじ部に螺合する雄ねじ部であることを特徴とする請求項１記載の腕時計。
【請求項３】
前記緩衝部材には、前記腕時計ケースと前記裏蓋との間に介在される防水パッキンが一体に形成されていることを特徴とする請求項１または２記載の腕時計。
【発明の詳細な説明】
【０００１】
【発明の属する技術分野】
この発明は腕時計に関する。
【０００２】
【従来の技術】
従来、腕時計においては、外部からの衝撃を緩衝して時計機構を保護する必要がある。このような腕時計の緩衝構造には、例えば腕時計ケースと時計バンドを弾性材料によって一体的に構成し、この弾性材料からなる時計バンドの一部に裏蓋の裏面側に突出する緩衝部を形成し、この緩衝部によって裏蓋の裏面に衝撃が直接加わらないように裏蓋の裏面を浮かせた構造のもの、あるいは腕時計ケースの裏面に裏蓋を複数のビスによって取り付ける際、これら複数のビスによって弾性材料かなる緩衝部材を裏蓋の裏面に同時に固定した構造のものなどがある。
【０００３】
【発明が解決しようとする課題】
しかしながら、前者の緩衝構造では、腕時計ケースと時計バンドとが一体的に構成され、その一部に緩衝部を形成しているため、腕時計ケースおよび時計バンドが材質の制約を受けることになり、このため腕時計ケースおよび時計バンドを弾性材料で形成しなければならず、金属感のあるものを得ることができないという問題がある。
また、後者の緩衝構造では、複数のビスで緩衝部材を裏蓋に取り付けるため、緩衝部材を均一な力で固定することが難しく、緩衝部材が外れやすいという問題がある。
【０００４】
この発明の課題は、腕時計ケースや時計バンドが材質の制約を受けずに、緩衝部材を均一な力で外れにくく固定できるようにすることである。
【０００５】
【課題を解決するための手段】
この発明は、裏面側の外周面に段差部が形成されているとともに、裏面側の内壁面に嵌合部が形成された腕時計ケースと、この腕時計ケースの裏面に外周部が段差部側に突出して配置されるとともに、嵌合部に嵌着する嵌着部が形成された裏蓋と、腕時計ケースの段差部に配置されて裏蓋の外周部によって押し付けられる鍔部が形成されているとともに、この鍔部から裏蓋の外周部の裏面より延出する延出部が形成された弾性材料からなる緩衝部材とを備えたことを特徴とするものである。
【０００６】
したがって、この発明によれば、腕時計ケースの嵌合部に裏蓋の嵌着部を嵌着させることにより、腕時計ケースの段差部に配置された緩衝部材の鍔部を裏蓋の外周部で腕時計ケースの段差部に押し付けて固定するので、裏蓋の外周部によって緩衝部材の鍔部を均一な力で外れにくく固定することができ、しかも緩衝部材が腕時計ケースや時計バンドとは別部材であるから、従来のように腕時計ケースや時計バンドが材質の制約を受けることがなく、金属感のあるものを得ることが可能になる。
【０００７】
【発明の実施の形態】
以下、図１および図２を参照して、この発明の腕時計の第１実施形態について説明する。
図１は腕時計の要部拡大断面図、図２はその要部の分解斜視図である。これらの図において、１は腕時計ケースである。この腕時計ケース１の上部には、時計ガラス２がパッキン３を介して装着されており、腕時計ケース１の内部には、図１に２点鎖線で示すように、時計モジュール４が配置されている。また、腕時計ケース１の側壁部には、押釦スイッチ５が設けられている。さらに、腕時計ケース１の下部には、裏蓋６が防水パッキン７を介して取り付けられているとともに、この裏蓋６によって緩衝部材８が取り付けられている。
【０００８】
この場合、腕時計ケース１の下部外周面には段差部１０が形成されているとともに、その下部内壁面には雌ねじ部（嵌合部）１１が形成されており、段差部１０と雌ねじ部１１との間に位置する腕時計ケース１の下面には、防水パッキン７が配置する防水溝１２が環状に形成されている。
一方、裏蓋６には腕時計ケース１の段差部１０側に突出して配置される外周部１３が形成されているとともに、裏蓋６の内面には腕時計ケース１の雌ねじ部１１に螺合する雄ねじ部（嵌着部）１４が形成されている。
緩衝部材８は、ポリウレタンなどのエラストマー（合成ゴム）や軟質の合成樹脂などの弾性材料からなり、腕時計ケース１の段差部１０に配置されて裏蓋６の外周部１３によって押し付けられる鍔部１５と、この鍔部１５から裏蓋６の外周部１３の側方を通って裏蓋６の裏面よりも下側に斜めに延出する延出部１６とを有し、これらがリング状に一体に形成された構造になっている。
【０００９】
なお、押釦スイッチ５は、図２に示すように、腕時計ケース１の側壁部の複数個所に設けられている。すなわち、押釦スイッチ５は、図１に示すように、腕時計ケース１の側壁部の所定個所に形成された貫通孔１ａ内に設けられた筒状部材１７を備えている。この筒状部材１７内には、釦軸１８の先端が腕時計ケース１内に突出する釦軸１８の他端部に釦頭部１９が設けられた釦部材２０が配置されているとともに、筒状部材１７の内面および釦部材２０の軸部１８の外周面に圧接する防水リング２１が設けられている。そして、防水リング２１と釦頭部１９の間における釦軸１８の外周には、釦部材２０を腕時計ケース１の外部に向けて付勢するコイルバネ２２が設けられており、腕時計ケース１の内部突出した釦軸１８の先端には、抜け止め用のＥリング２３が取り付けられている。
【００１０】
このような腕時計では、図１に示すように、裏蓋６の外周部１３の上側に緩衝部材８の鍔部１５が位置し、かつその外周部１３の下側に緩衝部材８の延出部１６が位置するように、緩衝部材８を裏蓋６の外周部１３に配置し、この状態で裏蓋６の雄ねじ部１４を腕時計ケース１の雌ねじ部１１に螺合させて締め付けると、腕時計ケース１の段差部１０に緩衝部材８の鍔部１５が裏蓋６の外周部１３によって押し付けられて固定されるため、緩衝部材８の鍔部１５を裏蓋６の外周部１３によって均一な力で固定することができるとともに、緩衝部材８の鍔部１５が裏蓋６の外周部１３の上側に位置し、かつ緩衝部材８の延出部１６が外周部１３の下側に向けて斜めに位置した状態で取り付けられているので、緩衝部材８が外れにくい。
【００１１】
したがって、この腕時計では、緩衝部材８の延出部１６が裏蓋６の外周部１３の下側に斜めに突出しているので、緩衝部材８の延出部１６によって裏蓋６の裏面を浮かせることができ、これにより裏蓋６の裏面に衝撃が直接加わらないようにすることができ、外部からの衝撃を緩衝して腕時計ケース１内の時計モジュール４を良好に保護することができる。
また、この腕時計では、緩衝部材８が腕時計ケース１や時計バンド（図示せず）とは別部材であるから、従来のように腕時計ケース１や時計バンドが材質の制約を受けることがなく、金属などで形成することができるため、金属感のあるものを得ることができる。
【００１２】
次に、図３および図４を参照して、この発明の腕時計の第２実施形態について説明する。なお、図１および図２に示された第１実施形態と同一部分には同一符号を付し、その説明は省略する。
この腕時計は、緩衝部材８に防水パッキン部２５を一体に形成した以外は第１実施形態とほぼ同じ構造になっている。すなわち、緩衝部材８は、第１実施形態と同様、弾性材料からなり、鍔部１５と延出部１６とがリング状に一体に形成されているとともに、図３および図４に示すように、鍔部１５に連結部２６を介して防水パッキン部２５が一体に形成された構造になっている。この場合、腕時計ケース１の段差部１０と雌ねじ部１１との間に位置する腕時計ケース１の下面には、図３に示すように、防水パッキン部２５および連結部２６が配置する防水溝２７がその下面中央から段差部１０に亘って形成されている。
【００１３】
このような腕時計では、第１実施形態と同様、緩衝部材８を裏蓋６の外周部１３に配置した状態で、裏蓋６の雄ねじ部１４を腕時計ケース１の雌ねじ部１１に螺合させて締め付けると、腕時計ケース１の段差部１０に緩衝部材８の鍔部１５が裏蓋６の外周部１３によって押し付けられて固定されるのと同時に、防水パッキン部２５が外周部１３によって押し付けられて固定されるので、第１実施形態と同様の作用効果があるほか、特に緩衝部材８と防水パッキン部２５を一度に取り付けることができるため、組立て作業性が良く、しかも緩衝部材８に防水パッキン部２５が一体に形成されているので、部品点数が少なく、部品の管理が容易になる。
【００１４】
なお、上記第１、第２実施形態では、腕時計ケース１の内壁面に雌ねじ部１１を設け、裏蓋６に雄ねじ部１４を設け、この雄ねじ部１４を雌ねじ部１１に螺合させる構造について述べたが、これに限らず、腕時計ケース１の内壁面に嵌合部を設け、裏蓋６に嵌合部に嵌着する嵌着部を設け、裏蓋６の嵌着部を腕時計ケースの嵌合部に差し込んで嵌着させる構造でも良い。
【００１５】
【発明の効果】
以上説明したように、この発明によれば、腕時計ケースの嵌合部に裏蓋の嵌着部を嵌着させることにより、腕時計ケースの段差部に配置された緩衝部材の鍔部を裏蓋の外周部によって腕時計ケースの段差部に押し付けて固定するので、裏蓋の外周部によって緩衝部材の鍔部を均一な力で外れにくく固定することができ、しかも緩衝部材が腕時計ケースや時計バンドとが別部材であるから、従来のように腕時計ケースや時計バンドが材質の制約を受けることがなく、腕時計ケースおよび時計バンドを金属で形成することができるので、金属感のあるものを得ることが可能になる。
【図面の簡単な説明】
【図１】この発明の腕時計の第１実施形態を示した要部拡大断面図。
【図２】図１の腕時計の要部分解斜視図。
【図３】この発明の腕時計の第２実施形態を示した要部拡大断面図。
【図４】図３の緩衝部材の一部破断した斜視図。
【符号の説明】
１  腕時計ケース
６  裏蓋
８  緩衝部材
１０  段差部
１１  雌ねじ部
１３  裏蓋の外周部
１４  雄ねじ部
１５  鍔部
１６  延出部
２５  防水パッキン部
【図１】
0003570089.tif 000002
【図２】
0003570089.tif 000003
【図３】
0003570089.tif 000004
【図４】
0003570089.tif 000005